(57)【特許請求の範囲】
【請求項１】
窓枠にスライド自在に取り付けられた窓障子の開閉方向と直交する方向に挿抜されるデッドボルトを有し、前記窓障子を構成する内障子の召合せ框に内蔵された施錠本体部を備え、
前記内障子の召合せ框は、前記窓障子を構成する外障子の召合せ框と対向する面に、前記施錠本体部の前記デッドボルトが通る開口部が形成されると共に、
前記デッドボルトが挿入される施錠穴部を有する受け金具が、前記内障子と前記外障子で重なった前記召合せ框同士の間で、前記施錠本体部と対向する位置の前記外障子の召合せ框に取り付けられて、前記窓障子の施錠を行う施錠装置であって、
前記施錠本体部は、前記デッドボルトの挿抜方向に対して直交する方向に突出し、前記受け金具の前記施錠穴部に挿入されるとともに、前記窓障子の取り外し動作で前記施錠穴部に係止される係止突起部を、前記デッドボルトの先端部に備えた
ことを特徴とする施錠装置。
【請求項２】
前記施錠本体部は、前記デッドボルトを移動させる施錠機構部を有する機構ユニットに対して、前記施錠機構部を駆動する制御部の一部または全部を有する制御ユニットが分割された
ことを特徴とする請求項１記載の施錠装置。
【請求項３】
前記受け金具が取り付けられる前記外障子の召合せ框に、前記施錠穴部と繋がって、前記デッドボルトの先端部が挿入される挿入開口部を備えて施錠空間が形成される
ことを特徴とする請求項１または２記載の施錠装置。
【請求項４】
前記受け金具は屈曲形状を有し、前記外障子の召合せ框との間に、前記施錠穴部から繋がって、前記デッドボルトの先端部が挿入される施錠空間が形成される
ことを特徴とする請求項１または２記載の施錠装置。
【発明の詳細な説明】
【技術分野】
【０００１】
本発明は、両引きや片引きの引き違い窓の施錠を行う施錠装置に関する。詳しくは、施錠装置を召合せ框に内蔵できるようにしたものである。
【背景技術】
【０００２】
開閉可能な窓には、一般的に施錠装置が備えられている。例えば行き違い窓には、クレセント錠とクレセント受け金具を備えた施錠装置が用いられている。
【０００３】
近年は、防犯性を向上させるため、クレセント錠に加えて補助錠を備える引き違い窓も多く、更には、磁石やモータ等の駆動力を利用して施錠を行う施錠装置も提案されている（例えば、特許文献１参照）。
【０００４】
特許文献１に記載された施錠装置は、施錠板と、施錠板を駆動する磁石やコイル等の駆動機構を筐体内に備えて構成される本体部を、内障子の縦框の側面に備える。また、施錠板が係止される規制板を、外障子の上框に備える。そして、内障子と外障子を閉めた状態で、施錠板を回転駆動することにより施錠板を規制板に係止させて、施錠が行われる。
【０００５】
【特許文献１】特開２００４−１５６２５４号公報
【発明の開示】
【発明が解決しようとする課題】
【０００６】
しかし、従来の施錠装置は、内障子の縦框の側面等、外部から目視できる位置に取り付けられているので、侵入者の目に付きやすく、侵入時に狙われやすいという問題があった。
【０００７】
これに対して、施錠装置を縦框等に内蔵すれば、外部から目視しづらくできるが、縦框の形状や、縦框内のスペース等の制約で、施錠装置を縦框に内蔵することが難しいという問題がある。
【０００８】
本発明は、このような課題を解決するためになされたもので、窓障子の框の部分に内蔵できるようにした施錠装置を提供することを目的とする。
【課題を解決するための手段】
【０００９】
上述した課題を解決するため、本発明に係る施錠装置は、窓枠にスライド自在に取り付けられた窓障子の開閉方向と直交する方向に挿抜されるデッドボルトを有し、窓障子を構成する内障子の召合せ框に内蔵された施錠本体部を備え、内障子の召合せ框は、窓障子を構成する外障子の召合せ框と対向する面に、施錠本体部のデッドボルトが通る開口部が形成されると共に、デッドボルトが挿入される施錠穴部を有する受け金具が、内障子と外障子で重なった召合せ框同士の間で、施錠本体部と対向する位置の外障子の召合せ框に取り付けられて、窓障子の施錠を行う施錠装置であって、施錠本体部は、デッドボルトの挿抜方向に対して直交する方向に突出し、受け金具の施錠穴部に挿入されるとともに、窓障子の取り外し動作で施錠穴部に係止される係止突起部を、デッドボルトの先端部に備えたものである。
【００１０】
本発明に係る施錠装置では、内障子と外障子を閉めて、施錠本体部を動作させると、内障子の召合せ框からデッドボルトが突出する。内障子と外障子を閉めることで、召合せ框同士が重なる位置関係となり、内障子の召合せ框から突出したデッドボルトは、外障子の召合せ框に取り付けられた受け金具の施錠穴部に挿入される。これにより、内障子と外障子が施錠される。
【発明の効果】
【００１１】
本発明の施錠装置によれば、施錠装置の本体部分を、内障子の召合せ框に内蔵することで、外部から目視しづらくすることができる。また、デッドボルトを受ける受け金具も、内障子と外障子で重なった召合せ框の間に取り付けられることで、外部から目視しづらくすることができる。
【００１２】
これにより、外部からは、施錠装置の有無及び施錠装置がどこに設置されているかが把握しづらくなり、防犯性を向上させることができる。
【００１３】
また、受け金具の形状を、外障子の召合せ框の形状等に応じて設定することで、召合せ框の形状等の制約によらず、施錠装置の本体部を召合せ框に内蔵することができる。
【発明を実施するための最良の形態】
【００１４】
以下、図面を参照して本発明の施錠装置の実施の形態について説明する。
【００１５】
＜第１の実施の形態の施錠装置の構成例＞
図１は第１の実施の形態の施錠装置の一例を示す構成図で、図１（ａ）は平面断面図、図１（ｂ）は側断面図である。
【００１６】
第１の実施の形態の施錠装置１Ａは、窓障子１００Ａの施錠を行うデッドボルト２を有する機構ユニット３と、機構ユニット３を制御する制御ユニット４と、デッドボルト２を受ける受け金具５Ａを備える。施錠装置１Ａは、施錠本体部として機構ユニット３と制御ユニット４が分割された構成である。
【００１７】
機構ユニット３は、例えば直方体形状に組み立てられた構造体で、長手方向の両端となる上下の端部に取付フランジ部６が形成される。制御ユニット４は、例えば直方体形状のケース７に収容され、ケース７は、長手方向の両端となる上下の端部に取付フランジ部８が形成される。
【００１８】
窓障子１００Ａは、内障子１０１Ａと外障子１０２Ａを備え、例えば両引きの引き違い窓である。機構ユニット３と制御ユニット４は、内障子１０１Ａと外障子１０２Ａを閉めたときに重なり合う内障子１０１Ａの召合せ框（縦框）１０３Ａに内蔵される。
【００１９】
これに対して、受け金具５は、内障子１０１Ａと外障子１０２Ａを閉めたときに重なり合う外障子１０２Ａの召合せ框（縦框）１０４Ａに取り付けられる。
【００２０】
内障子１０１Ａの４辺を構成する各框はアルミニウムで構成され、内障子１０１Ａの召合せ框１０３Ａは、一方の側面にガラス１０５を支持するガラス支持溝１０６が形成され、内部は例えば仕切り板１０７で仕切られた中空構造である。
【００２１】
内障子１０１Ａの召合せ框１０３Ａは、仕切り板１０７に機構ユニット取付開口部１０７ａが形成され、室内に面した内側面１０８に制御ユニット取付開口部１０８ａが形成される。
【００２２】
機構ユニット取付開口部１０７ａは、機構ユニット３が嵌り、かつ、機構ユニット３の取付フランジ部６が、召合せ框１０３Ａの仕切り板１０７に突き当たる開口面積を有する。また、制御ユニット取付開口部１０８ａは、機構ユニット３の取付フランジ６の形成位置が通ると共に、制御ユニット４のケース７が嵌り、ケース７の取付フランジ部８が、召合せ框１０３Ａの内側面１０８に突き当たる開口面積を有する。そして、機構ユニット取付開口部１０７ａと制御ユニット取付開口部１０８ａは、重なり合う位置関係で構成される。
【００２３】
機構ユニット３は、制御ユニット取付開口部１０８ａから召合せ框１０３Ａの内部に挿入され、機構ユニット取付開口部１０７ａに挿入される。機構ユニット３が機構ユニット取付開口部１０７ａに挿入されると、機構ユニット３の取付フランジ部６が召合せ框１０３Ａの仕切り板１０７に突き当たる。仕切り板１０７には、ナッターと称される締結部材１０９が取り付けられており、取付フランジ部６に形成された貫通穴にネジ９を挿入し、締結部材１０９に締結することで、機構ユニット３は仕切り板１０７に取り付けられて、内障子１０１Ａの召合せ框１０３Ａに内蔵される。
【００２４】
制御ユニット４は、制御ユニット取付開口部１０８ａから本体部分が召合せ框１０３Ａの内部に挿入される。制御ユニット４が制御ユニット取付開口部１０８ａに挿入されると、制御ユニット４の取付フランジ部８が召合せ框１０３Ａの内側面１０８に突き当たる。召合せ框１０３Ａの内側面１０８には、締結部材１０９が取り付けられており、取付フランジ部８に形成された貫通穴にネジ９を挿入し、締結部材１０９に締結することで、制御ユニット４は召合せ框１０３Ａの内側面１０８に、本体部分が内蔵された形態で取り付けられる。
【００２５】
なお、機構ユニット３及び制御ユニット４のサイズと、内障子１０１Ａの召合せ框１０３Ａの寸法の関係から、機構ユニット３の取付フランジ部６と召合せ框１０３Ａの仕切り板１０７との間、制御ユニット４の取付フランジ部８と召合せ框１０３Ａの内側面１０８との間に、必要に応じてスペーサを介在させても良い。
【００２６】
内障子１０１Ａの召合せ框１０３Ａは、外障子１０２Ａの召合せ框１０４Ａに面する外側面１１０に開口部１１０ａが形成される。開口部１１０ａは、機構ユニット取付開口部１０７ａに機構ユニット３を取り付けると、機構ユニット３のデッドボルト２と対向する位置に形成され、デッドボルト２は、召合せ框１０３Ａの外側面１１０から、開口部１１０ａを通って突出する。
【００２７】
外障子１０２Ａの召合せ框１０４Ａは、一方の側面にガラス１１１を支持するガラス支持溝１１２が形成され、内部は中空構造である。外障子１０２Ａの召合せ框１０４Ａは、内障子１０１Ａの召合せ框１０３Ａに面する内側面１１３に受け金具５Ａが取り付けられる。
【００２８】
図２は受け金具５Ａの形状の一例を示す構成図で、図２（ａ）は平面図、図２（ｂ）は図２（ａ）のＡ−Ａ断面図である。また、図３は受け金具５Ａの取付形態を示す外障子１０２Ａの要部破断斜視図である。
【００２９】
受け金具５Ａは平板形状で、鉄等の金属で構成されており、デッドボルト２が挿入される施錠穴部１０を備える。受け金具５Ａの施錠穴部１０は、デッドボルト２の先端部が挿入される所定の角穴形状を有する。なお、デッドボルト２の構成については後述する。
【００３０】
外障子１０２Ａの召合せ框１０４Ａには、図１に示すように締結部材１１４が取り付けられており、受け金具５Ａに形成された貫通穴１１にネジ１２を挿入し、締結部材１１４に締結することで、受け金具５Ａは外障子１０２Ａの召合せ框１０４Ａに取り付けられる。ここで、受け金具５Ａの取付位置は、内障子１０１Ａと外障子１０２Ａを閉めたときに、施錠穴部１０がデッドボルト２と対向する位置に設定される。
【００３１】
なお、召合せ框１０４Ａの形状によっては、受け金具５Ａをネジ１２で召合せ框１０４Ａに取り付ける際に、煙返し部１０４ｍが締結作業の妨げになる場合がある。このような場合は、煙返し部１０４ｍに予め切り欠き１０４ｎを形成して、ネジ１２の締結等を行えるようにする。
【００３２】
外障子１０２Ａの召合せ框１０４Ａは、受け金具５Ａの施錠穴部１０と対向して、内側面１１３に挿入開口部１１５を備える。挿入開口部１１５は、デッドボルト２の先端部が挿入される所定の角穴形状を有し、外障子１０２Ａの召合せ框１０４Ａの内部の空間と連通して施錠空間１１６が形成される。
【００３３】
さて、第１の実施の形態の施錠装置１Ａが設置される窓障子１００Ａは、内障子１０１Ａの召合せ框１０３Ａの寸法が、機構ユニット３のサイズに対して余裕がある。このため、内障子１０１Ａと外障子１０２Ａを閉めたときに、内障子１０１Ａ側から突出するデッドボルト２の位置が、外障子１０２Ａのガラス１１１の取付位置と重ならないように、内障子１０１Ａにおける機構ユニット３の取付位置が設定される。これに応じて、外障子１０２Ａの召合せ框１０４Ａに形成される挿入開口部１１５が、ガラス１１１の取付位置を避けるように受け金具５Ａの取付位置が設定される。
【００３４】
図４は機構ユニット３の構成の一例を示す内部構成図で、次に、機構ユニット３及びデッドボルト２の構成について説明する。機構ユニット３は、デッドボルト２を駆動する施錠機構部１３を備える。施錠機構部１３は、モータ１４と、モータ１４の駆動力を伝達するギア群１５と、ギア群１５に伝達されたモータ１４の駆動力をデッドボルト２に伝達するレバー１６を備える。
【００３５】
ギア群１５は、複数枚の減速ギア１５ａと、モータ１４の駆動力が減速ギア１５ａを介して伝達されるウォームギア１５ｂと、ウォームギア１５ｂと噛み合い、レバー１６が取り付けられた平ギア１５ｃを備える。なお、図示していないねじりコイルバネを介して平ギア１５ｃからの駆動力をレバー１６に伝達する構成とすることで、内障子１０１Ａと外障子１０２Ａとの距離が離れたり近づいたりしてクリアランスが変化しても、デッドボルト２は施錠状態を維持できるようになっている。
【００３６】
以上の構成により、施錠機構部１３は、モータ１４の回転動作を、ギア群１５とレバー１６で直線動作に変換して、デッドボルト２を矢印ａ１で示す突出する方向と、矢印ａ２で示す退避する方向にスライドさせる。
【００３７】
図５はデッドボルト２の構成の一例を示す機構ユニット３の要部断面図で、図５（ａ）は平面断面図、図５（ｂ）は側断面図である。また、図６はデッドボルト２の構成の一例を示す斜視図である。
【００３８】
デッドボルト２は、ガイドブロック１７にスライド自在に支持される。デッドボルト２及びガイドブロック１７は、例えば鉄やステンレス等の金属や、ガラス繊維が混入されたエンジニアリングプラスチック等の強化プラスチックで構成され、デッドボルト２に外力が加わったときのデッドボルト２の変形及びデッドボルト２を支持するガイドブロック１７の変形を防ぐ。
【００３９】
デッドボルト２は、先端部に係止突起部１８を備える。係止突起部１８は、矢印ａで示すデッドボルト２の動作方向と直交する方向に突出し、本例では、デッドボルト２の先端部が上下両方向にＬ字型に構成される。
【００４０】
デッドボルト２は、施錠が正常に行われたか否かを検出する施錠検出部１９を備える。施錠検出部１９は施錠検出手段の一例で、デッドボルト２にスライド可能に取り付けられる検出子２０と、検出子２０の位置に応じた検出信号を出力する検出接点２１を備える。
【００４１】
検出子２０は、インナーケース２２によりデッドボルト２の動作方向に沿ってスライド動作可能に支持される。検出子２０は、バネ２３によりデッドボルト２の突出方向に付勢され、インナーケース２２に形成したストッパ部２２ａに突出量規制突起部２０ａが突き当てられることで、デッドボルト２に対する位置が規定される。
【００４２】
検出子２０は、先端部に検出突起部２４と突き当て端面２５を備えると共に、後端部に位置規制突起部２６を備える。検出突起部２４は、検出子２０の動作方向と直交する方向に突出し、本例では、デッドボルト２の係止突起部１８と直交する左右両方向に突出する。
【００４３】
突き当て端面２５は、検出突起部２４の前端面から、検出子２０の動作方向に沿って凸状に突出する。ここで、検出子２０がバネ２３で付勢され、突出量規制突起部２０ａがストッパ部２２ａに突き当たる状態では、検出子２０の検出突起部２４の前端面がデッドボルト２の係止突起部１８の前端面と略同じ位置で、突き当て端面２５が突出するように、各部の寸法が設定される。
【００４４】
位置規制突起部２６は、検出子２０の動作方向と直交する例えば一方の水平方向に突出する。位置規制突起部２６は、ガイドブロック１７に形成された突き当て面１７ａに、デッドボルト２のスライド動作により当接して、デッドボルト２のスライド動作と連動して検出子２０を作動させる。
【００４５】
検出接点２１は、検出子２０に取り付けられた３本の可動端子２７ａ〜２７ｃと、インナーケース２２に取り付けられた３本の固定端子２８ａ〜２８ｃを備える。可動端子２７ａ〜２７ｃは、それぞれ同じ長さを有し、各端子が櫛状に形成されて電気的に導通している。
【００４６】
固定端子２８ａ〜２８ｃは、デッドボルト２のスライド動作の方向に沿って延在し、固定端子２８ａは可動端子２７ａに対応し、固定端子２８ｂは可動端子２７ｂに対応し、固定端子２８ｃは可動端子２７ｃに対応して、各端子が独立して形成される。
【００４７】
固定端子２８ａ〜２８ｃは、それぞれ異なる長さを有して先端部の位置が異なる。固定端子２８ｂには所定の検出電圧Ｖｃｃが供給され、固定端子２８ｂと可動端子２７ｂは常時接触して、電気的に導通している。なお、本実施の形態では、固定端子２８ｂと可動端子２７ｂは常時接触した構成としているが、検出電圧Ｖｃｃが供給されているものであれば、常時接触している状態でなくても良い。
【００４８】
固定端子２８ａと可動端子２７ａ及び固定端子２８ｃと可動端子２７ｃは、初期状態ではそれぞれ非接触である。そして、デッドボルト２の動作で検出子２０の位置が変化すると、検出子２０の位置に応じて固定端子２８ａと可動端子２７ａが接触した状態と、固定端子２８ａと可動端子２７ａ及び固定端子２８ｃと可動端子２７ｃがそれぞれ接触した状態に変化する。これにより、固定端子２８ａの出力Ｃ１と、固定端子２８ｃの出力Ｃ２が所定のパターンで変化し、施錠が正常に行われたか否かが検出される。
【００４９】
次に、上述した構成を有するデッドボルト２と、図２等で説明した受け金具５Ａの施錠穴部１０等、デッドボルト２が通る開口部分との大きさの関係について説明する。
【００５０】
デッドボルト２の先端部が挿入される受け金具５Ａの施錠穴部１０は、デッドボルト２の係止突起部１８は通過し、デッドボルト２に取り付けられた検出子２０の検出突起部２４は突き当たる開口面積を有する。また、外障子１０２Ａの召合せ框１０４Ａに形成された挿入開口部１１５も同等の開口面積を有する。
【００５１】
これに対して、内障子１０１Ａの召合せ框１０３Ａに形成された開口部１１０ａは、デッドボルト２の係止突起部１８と検出子２０の検出突起部２４の双方が通過する開口面積を有する。
【００５２】
次に、図１を参照して制御ユニット４の構成について説明する。制御ユニット４は、機構ユニット３のモータ１４の駆動及び検出接点２１から出力される検出信号の処理等を行う回路が実装された回路基板２９と、電源を供給する電池３０等がケース７に収容される。制御ユニット４と機構ユニット３はフレキシブルケーブル３１で電気的に接続され、制御ユニット４と機構ユニット３の配置に自由度を持たせてある。
【００５３】
＜第１の実施の形態の施錠装置の動作例＞
次に、各図を参照して第１の実施の形態の施錠装置１Ａの動作例について説明する。
【００５４】
施錠装置１Ａを作動させていない状態では、内障子１０１Ａに内蔵された機構ユニット３のデッドボルト２は、内障子１０１Ａの召合せ框１０３Ａから突出せず、内障子１０１Ａと外障子１０２Ａは開閉自在な状態である。
【００５５】
図７は施錠が正常に行われた状態を示す機構ユニット３の構成図で、図７（ａ）は平面断面図、図７（ｂ）は側断面図である。内障子１０１Ａと外障子１０２Ａを閉め、施錠装置１Ａを作動させると、機構ユニット３のデッドボルト２が、図４で説明した施錠機構部１３により矢印ａ１で示す方向にスライドして、図１に示す召合せ框１０３Ａの開口部１１０ａから突出する。内障子１０１Ａの召合せ框１０３Ａから突出したデッドボルト２は、外障子１０２Ａの召合せ框１０４Ａに取り付けられた受け金具５Ａの施錠穴部１０に挿入される。
【００５６】
施錠穴部１０に挿入されるデッドボルト２は、先端部に形成された係止突起部１８は施錠穴部１０を通る。また、施錠穴部１０に対応して外障子１０２Ａの召合せ框１０４Ａに形成された挿入開口部１１５を通り、施錠空間１１６内に入り込む。
【００５７】
これに対して、デッドボルト２に取り付けられた検出子２０の検出突起部２４は、施錠穴部１０の周囲の受け金具５Ａに突き当たる。検出子２０の検出突起部２４が受け金具５Ａに突き当てられた状態で、デッドボルト２が施錠穴部１０に挿入されると、検出子２０はバネ２３を押圧してデッドボルト２に対して押し込まれる形態となる。
【００５８】
これにより、施錠検出部１９では、検出接点２１において、可動端子２７ａと固定端子２８ａが接触して固定端子２８ａの出力Ｃ１が「Ｈ」に変化し、更に可動端子２７ｃと固定端子２８ｃが接触して固定端子２８ｃの出力Ｃ２が「Ｈ」に変化する。
【００５９】
このように、デッドボルト２の施錠動作で検出子２０がデッドボルト２に対して移動し、固定端子２８ａの出力Ｃ１と固定端子２８ｃの出力Ｃ２が共に「Ｈ」に変化すると、デッドボルト２が施錠穴部１０に正常に挿入され、図示しないコントローラは、施錠動作が正常に行われたと判断することができる。
【００６０】
ここで、解錠動作は、施錠装置１Ａを作動させて、デッドボルト２を図４及び図７に矢印ａ２で示す方向にスライドさせて退避させる。デッドボルト２を矢印ａ２方向にスライドさせて退避させると、デッドボルト２は、図１に示す外障子１０２Ａの召合せ框１０４Ａの挿入開口部１１５及び受け金具５Ａの施錠穴部１０を抜け、内障子１０１Ａの召合せ框１０３Ａ内に退避する。これにより、内障子１０１Ａと外障子１０２Ａは開閉自在な状態となる。
【００６１】
図８，図９は施錠が正常に行われていない状態を示す機構ユニット３の構成図で、図８（ａ），図９（ａ）は平面断面図、図８（ｂ），図９（ｂ）は側断面図である。
【００６２】
内障子１０１Ａと外障子１０２Ａが正常に閉まっておらず、図８に示すように例えば施錠動作でデッドボルト２が受け金具５Ａに突き当たった場合、検出子２０は、突き当て端面２５が、デッドボルト２の係止突起部１８の前端面と略同じ位置まで押し込まれる。
【００６３】
これにより、施錠検出部１９では、検出接点２１において、可動端子２７ａと固定端子２８ａが接触して固定端子２８ａの出力Ｃ１が「Ｈ」に変化するが、可動端子２７ｃが固定端子２８ｃに接触する位置までは検出子２０が押し込まれず、固定端子２８ｃの出力Ｃ２は「Ｌ」である。
【００６４】
また、内障子１０１Ａと外障子１０２Ａが正常に閉まっておらず、図９に示すように例えば施錠動作でスライドしたデッドボルト２の先に受け金具５Ａ等が存在しない状態では、デッドボルト２と共にスライドする検出子２０は、位置規制突起部２６がガイドブロック１７に形成された突き当て面１７ａに当接することで、デッドボルト２に対して押し込まれる形態となる。
【００６５】
この場合も、施錠検出部１９では、検出接点２１において、可動端子２７ａと固定端子２８ａが接触して固定端子２８ａの出力Ｃ１が「Ｈ」に変化するが、可動端子２７ｃが固定端子２８ｃに接触する位置までは検出子２０が押し込まれず、固定端子２８ｃの出力Ｃ２は「Ｌ」である。
【００６６】
このように、デッドボルト２の施錠動作で検出子２０がデッドボルト２に対して移動し、固定端子２８ａの出力Ｃ１は「Ｈ」に変化するが、固定端子２８ｃの出力Ｃ２は「Ｌ」のままであると、デッドボルト２が施錠穴部１０に正常に挿入されず、図示しないコントローラは、施錠動作が正常に行われていないと判断することができる。
【００６７】
＜第１の実施の形態の施錠装置の効果＞
第１の実施の形態の施錠装置１Ａでは、デッドボルト２を受ける受け金具５Ａを、内障子１０１Ａと外障子１０２Ａで重なった外障子１０２Ａの召合せ框１０４Ａに取り付けたことで、機構ユニット３及び制御ユニット４を、内障子１０１Ａと外障子１０２Ａで重なった内障子１０１Ａの召合せ框１０３Ａに内蔵することができる。
【００６８】
これにより、外部からは、施錠装置１Ａの有無及び施錠装置１Ａがどこに設置されているかが把握しづらくなり、防犯性を向上させることができる。
【００６９】
また、施錠装置１Ａは、機構ユニット３と制御ユニット４を分割し、内障子１０１Ａの召合せ框１０３Ａの厚み方向に重なる配置として召合せ框１０３Ａに内蔵したので、施錠装置１Ａを内障子１０１Ａに取り付けるための開口部の形成位置を一箇所に集約することができ、加工コストの低減を図ることができると共に、内障子１０１Ａの剛性の低下を抑えることができる。
【００７０】
更に、受け金具５Ａは、貫通穴１１の径をネジ１２に対して多少ゆとりを持たせることで、受け金具５Ａの取付位置の調整が可能で、各開口部等の形成位置の精度を緩和することができる。
【００７１】
さて、内障子１０１Ａと外障子１０２Ａは、通常、図示しない窓枠から取り外すことができる構造となっており、内障子１０１Ａと外障子１０２Ａを窓枠から外す場合は、外障子１０２Ａを上下動させて図示しないレールから取り外し、次に内障子１０１Ａを上下動させてレールから取り外すことにより、内障子１０１Ａ及び外障子１０２Ａを取り外すことができる。
【００７２】
施錠装置１Ａでは、内障子１０１Ａ側から突出させたデッドボルト２を、外障子１０２Ａ側の受け金具５Ａの施錠穴部１０に挿入して施錠を行うことで、施錠状態で例えば外障子１０２Ａを上下動させると、内障子１０１Ａも追従して上下動することになり、内障子１０１Ａ及び外障子１０２Ａを窓枠から取り外すことはできない。
【００７３】
また、デッドボルト２の先端部分を上下方向にＬ字形状として径止突起部１８を形成してあるので、施錠状態で例えば外障子１０２Ａを上下動させると、デッドボルト２の係止突起部１８が、外障子１０２Ａの召合せ框１０４Ａに形成した挿入開口部１１５の裏面に入り込む。これにより、正規な解錠動作を行わなければ、デッドボルト２が、外障子１０２Ａに取り付けられた受け金具５Ａから抜けることはない。
【００７４】
従って、施錠状態にある内障子１０１Ａと外障子１０２Ａが、強制的に窓枠から取り外されることを防止することができる。
【００７５】
更に、施錠装置１Ａでは、外障子１０２Ａの召合せ框１０４Ａの寸法に余裕があることから、外障子１０２Ａに取り付けた受け金具５Ａの施錠穴部１０と、召合せ框１０４Ａに形成した挿入開口部１１５の双方にデッドボルト２が挿入される構成とすることで、施錠強度を向上させることができる。
【００７６】
＜第２の実施の形態の施錠装置の構成例＞
図１０は第２の実施の形態の施錠装置の一例を示す構成図で、図１０（ａ）は平面断面図、図１０（ｂ）は側断面図である。第２の実施の形態の施錠装置１Ｂは、窓障子１００Ｂとして、内障子１０１Ｂの召合せ框１０３Ｂと、外障子１０２Ｂの召合せ框１０４Ｂの寸法が小さい場合の例である。ここで、第２の実施の形態の施錠装置１Ｂにおいて、第１の実施の形態の施錠装置１Ａと同じ構成要素については、同じ番号を付して構成の詳細な説明は省略する。
【００７７】
施錠装置１Ｂにおいて、機構ユニット３と制御ユニット４は、第１の実施の形態の施錠装置１Ａと同様の構成であり、機構ユニット３は、内障子１０１Ｂの召合せ框１０３Ｂの内部を仕切る仕切り板１０７に、取付フランジ部６と、ネジ９及び締結部材１０９で取り付けられる。
【００７８】
また、制御ユニット４は、内障子１０１Ｂの召合せ框１０３Ｂの内側面１０８に、取付フランジ部８と、ネジ９及び締結部材１０９で取り付けられる。これにより、機構ユニット３と制御ユニット４は、内障子１０１Ｂの召合せ框１０３Ｂに内蔵される。
【００７９】
外障子１０２Ｂの召合せ框１０４Ｂは、内障子１０１Ｂの召合せ框１０３Ｂに面する内側面１１３に受け金具５Ｂが取り付けられる。
【００８０】
図１１は受け金具５Ｂの形状の一例を示す構成図で、図１１（ａ）は平面図、図１１（ｂ）は図１１（ａ）のＢ−Ｂ断面図である。また、図１２は受け金具５Ｂの取付形態を示す外障子１０２Ｂの要部破断斜視図である。
【００８１】
受け金具５Ｂは、鉄等の金属の板材で構成され、平板状の取付部３２と、取付部３２と屈曲部３３を介して繋がり、取付部３２に対して所定の段差を有した施錠部３４を備えた屈曲形状である。
【００８２】
受け金具５Ｂは、施錠部３４にデッドボルト２が挿入される施錠穴部１０が貫通して形成されると共に、取付部３２にネジ１２が挿入される貫通穴１１が形成される。
【００８３】
受け金具５Ｂの施錠穴部１０は、第１の実施の形態の施錠装置１Ａで説明したように、デッドボルト２の先端部の係止突起部１８は挿入され、検出子２０の検出突起部２４は突き当たる所定の角穴形状を有する。
【００８４】
外障子１０２Ｂの召合せ框１０４Ｂには、図１０に示すように締結部材１１４が取り付けられており、受け金具５Ｂに形成された貫通穴１１にネジ１２を挿入し、締結部材１１４に締結することで、受け金具５Ｂは外障子１０２Ｂの召合せ框１０４Ｂに取り付けられる。ここで、受け金具５Ｂの取付位置は、内障子１０１Ｂと外障子１０２Ｂを閉めたときに、施錠穴部１０がデッドボルト２と対向する位置に設定される。
【００８５】
なお、召合せ框１０４Ｂの形状によっては、受け金具５Ｂをネジ１２で召合せ框１０４Ｂに取り付ける際に、煙返し部１０４ｍが締結作業の妨げになる場合がある。このような場合は、煙返し部１０４ｍに予め切り欠き１０４ｎを形成して、ネジ１２の締結等を行えるようにする。
【００８６】
受け金具５Ｂは、施錠穴部１０が形成された施錠部３４が、外障子１０２Ｂの召合せ框１０４Ｂに取り付けられる取付部３２に対して、屈曲部３３により段差を有した形状である。
【００８７】
これにより、受け金具５Ｂは、施錠部３４の裏面と、召合せ框１０４Ｂの内側面１１３との間に隙間が形成され、施錠穴部１０と連通した施錠空間１１６が形成される。
【００８８】
ここで、受け金具５Ｂは、施錠部３４の端部に脚部３４ａを形成して、召合せ框１０４Ｂの内側面１１３に脚部３４ａを当接させることで、強度を向上させている。
【００８９】
第２の実施の形態の施錠装置１Ｂが設置される窓障子１００Ｂは、内障子１０１Ｂの召合せ框１０３Ｂと、外障子１０２Ｂの召合せ框１０４Ｂの寸法が小さく、重なる部分が少ないので、内障子１０１Ｂと外障子１０２Ｂを閉めたときに、内障子１０１Ｂ側から突出するデッドボルト２の位置が、外障子１０２Ｂのガラス１１１の取付位置と重なってしまう。
【００９０】
このため、屈曲形状を有する受け金具５Ｂを用いることで、外障子１０２Ｂのガラス１１１の取付位置と重なる位置に施錠穴部１０を配置して、ガラス１１１の取付位置の外側の召合せ框１０４Ｂと受け金具５Ｂの間に、デッドボルト２が挿入される施錠空間１１６を形成できるようにしている。
【００９１】
＜第２の実施の形態の施錠装置の動作例＞
次に、図１０〜図１２及び図７等を参照して第２の実施の形態の施錠装置１Ｂの動作例について説明する。
【００９２】
施錠装置１Ｂを作動させていない状態では、内障子１０１Ｂに内蔵された機構ユニット３のデッドボルト２は、内障子１０１Ｂの召合せ框１０３Ｂから突出せず、内障子１０１Ｂと外障子１０２Ｂは開閉自在な状態である。
【００９３】
内障子１０１Ｂと外障子１０２Ｂを閉め、施錠装置１Ｂを作動させると、機構ユニット３のデッドボルト２が、図４で説明した施錠機構部１３により矢印ａ１で示す方向にスライドして、図１０に示す召合せ框１０３Ｂの開口部１１０ａから突出する。内障子１０１Ｂの召合せ框１０３Ｂから突出したデッドボルト２は、外障子１０２Ｂの召合せ框１０４Ｂに取り付けられた受け金具５Ｂの施錠穴部１０に挿入される。
【００９４】
施錠穴部１０に挿入されるデッドボルト２は、先端部に形成された係止突起部１８は施錠穴部１０を通り、施錠空間１１６内に入り込む。これに対して、デッドボルト２に取り付けられた検出子２０の検出突起部２４は、施錠穴部１０の周囲の受け金具５Ｂに突き当たる。検出子２０の検出突起部２４が受け金具５Ｂに突き当てられた状態で、デッドボルト２が施錠穴部１０に挿入されると、図７に示すように、検出子２０はバネ２３を押圧してデッドボルト２に対して押し込まれる形態となる。
【００９５】
これにより、施錠検出部１９では、検出接点２１において、可動端子２７ａと固定端子２８ａが接触して固定端子２８ａの出力Ｃ１が「Ｈ」に変化し、更に可動端子２７ｃと固定端子２８ｃが接触して固定端子２８ｃの出力Ｃ２が「Ｈ」に変化する。
【００９６】
このように、デッドボルト２の施錠動作で検出子２０がデッドボルト２に対して移動し、固定端子２８ａの出力Ｃ１と固定端子２８ｃの出力Ｃ２が共に「Ｈ」に変化すると、デッドボルト２が施錠穴部１０に正常に挿入され、図示しないコントローラは、施錠動作が正常に行われたと判断することができる。
【００９７】
ここで、解錠動作は、施錠装置１Ｂを作動させて、デッドボルト２を図４及び図７に矢印ａ２で示す方向にスライドさせて退避させる。デッドボルト２を矢印ａ２方向にスライドさせて退避させると、デッドボルト２は、受け金具５Ｂの施錠穴部１０を抜け、内障子１０１Ｂの召合せ框１０３Ｂ内に退避する。これにより、内障子１０１Ｂと外障子１０２Ｂは開閉自在な状態となる。
【００９８】
なお、内障子１０１Ｂと外障子１０２Ｂが正常に閉まっていない状態での動作は、図８及び図９で説明した動作と同じである。
【００９９】
＜第２の実施の形態の施錠装置の効果＞
第２の実施の形態の施錠装置１Ｂでは、デッドボルト２を受ける受け金具５Ｂとして、屈曲形状を有する受け金具５Ｂを用いることで、外障子１０２Ｂのガラス１１１の取付位置と重なる位置に施錠穴部１０を配置して、ガラス１１１の取付位置の外側の召合せ框１０４Ｂと受け金具５Ｂの間に、デッドボルト２が挿入される施錠空間１１６を形成できる。
【０１００】
これにより、内障子１０１Ｂの召合せ框１０３Ｂと、外障子１０２Ｂの召合せ框１０４Ｂの寸法が小さく、内障子１０１Ｂ側から突出するデッドボルト２の位置が、外障子１０２Ｂのガラス１１１の取付位置と重なってしまう場合でも、機構ユニット３及び制御ユニット４を、内障子１０１Ｂの召合せ框１０３Ｂに内蔵することができる。
【０１０１】
従って、第２の実施の形態の施錠装置１Ｂでも、上述した第１の実施の形態の施錠装置１Ａと同様の効果を得ることができると共に、内障子や外障子の形状の制約によらず、内障子の召合せ框に施錠装置を内蔵することができる。
【０１０２】
＜各実施の形態の施錠装置の変形例＞
以上説明した各実施の形態の施錠装置は、両引きの引き違い窓に適用した例を説明したが、片引きの窓に適用することも可能である。すなわち、固定されている外側の窓部において、開閉する内障子を閉めたときに、内障子の召合せ框と重なる縦框の内面側に受け金具５を取り付けることで、内障子の召合せ框に機構ユニット３及び制御ユニット４を内蔵することが可能である。
【０１０３】
また、各実施の形態の施錠装置は、機構ユニット３と制御ユニット４を分割した構成としたが、召合せ框の寸法等に応じて、一体で構成しても良い。
【０１０４】
更に、正常に施錠されたか否かの検出は、圧電センサ等を用いる構成でも良い。
【０１０５】
また、内障子と外障子の召合せ框の寸法等に応じて、内障子の召合せ框に、外障子に取り付けた受け金具を退避する開口部を形成する構成としても良い。
【産業上の利用可能性】
【０１０６】
本発明は、建物に設置される窓の補助錠として、あるいは主錠として利用される施錠装置に適用される。
【図面の簡単な説明】
【０１０７】
【図１】第１の実施の形態の施錠装置の一例を示す構成図である。
【図２】受け金具の形状の一例を示す構成図である。
【図３】受け金具の取付形態を示す外障子の要部破断斜視図である。
【図４】機構ユニットの構成の一例を示す内部構成図である。
【図５】デッドボルトの構成の一例を示す機構ユニットの要部断面図である。
【図６】デッドボルトの構成の一例を示す斜視図である。
【図７】施錠が正常に行われた状態を示す機構ユニットの構成図である。
【図８】施錠が正常に行われていない状態を示す機構ユニットの構成図である。
【図９】施錠が正常に行われていない状態を示す機構ユニットの構成図である。
【図１０】第２の実施の形態の施錠装置の一例を示す構成図である。
【図１１】受け金具の形状の一例を示す構成図である。
【図１２】受け金具の取付形態を示す外障子の要部破断斜視図である。
【符号の説明】
【０１０８】
１Ａ，１Ｂ・・・施錠装置、２・・・デッドボルト、３・・・機構ユニット、４・・・制御ユニット、５Ａ，５Ｂ・・・受け金具、６・・・取付フランジ部、７・・・ケース、８・・・取付フランジ部、９・・・ネジ、１０・・・施錠穴部、１１・・・貫通穴、１２・・・ネジ、１３・・・施錠機構部、１４・・・モータ、１５・・・ギア群、１６・・・レバー、１７・・・ガイドブロック、１７ａ・・・突き当て面、１８・・・係止突起部、１９・・・施錠検出部、２０・・・検出子、２０ａ・・・突出量規制突起部、２１・・・検出接点、２２・・・インナーケース、２２ａ・・・ストッパ部、２３・・・バネ、２４・・・検出突起部、２５・・・突き当て端面、２６・・・位置規制突起部、２７ａ〜２７ｃ・・・可動端子、２８ａ〜２８ｃ・・・固定端子、２９・・・回路基板、３０・・・電池、３１・・・フレキシブルケーブル、３２・・・取付部、３３・・・屈曲部、３４・・・施錠部３４、１００Ａ，１００Ｂ・・・窓障子、１０１Ａ，１０１Ｂ・・・内障子、１０２Ａ，１０２Ｂ・・・外障子、１０３Ａ，１０３Ｂ・・・召合せ框、１０４Ａ，１０４Ｂ・・・召合せ框、１０５・・・ガラス、１０６・・・ガラス支持溝、１０７・・・仕切り板、１０７ａ・・・機構ユニット取付開口部、１０８・・・内側面、１０８ａ・・・制御ユニット取付開口部、１０９・・・締結部材、１１０・・・外側面、１１０ａ・・・開口部、１１１・・・ガラス、１１２・・・ガラス支持溝、１１３・・・内側面、１１４・・・締結部材、１１５・・・挿入開口部、１１６・・・施錠空間
【図１】
0004655780.tif 000002
【図２】
0004655780.tif 000003
【図３】
0004655780.tif 000004
【図４】
0004655780.tif 000005
【図５】
0004655780.tif 000006
【図６】
0004655780.tif 000007
【図７】
0004655780.tif 000008
【図８】
0004655780.tif 000009
【図９】
0004655780.tif 000010
【図１０】
0004655780.tif 000011
【図１１】
0004655780.tif 000012
【図１２】
0004655780.tif 000013